【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
効率を改善するための電流制御フィードバックループを備えた電動発電機システムであって、
内部空間を形成し、第１の部分と第２の部分を有するハウジングと、
前記ハウジングの前記第１の部分内に位置し、電動機部分が軸部材と機能的に結合され、選択的に前記軸部材を回転させる電動機組立体と、
前記軸部材と機能的に結合され、機械的回転を電気エネルギに変換し、前記ハウジングの前記第２の部分内に位置し、かつ電流を供給するための電流出力を有する発電機組立体と、
前記発電機組立体と前記電動機組立体との間に機能的に結合され、前記電動機組立体によって前記軸部材に生じる回転速度を制御するために前記電動機組立体へ制御電流を供給する制御装置組立体と、
を備えていることを特徴とする電動発電機システム。
【請求項２】
前記電動機組立体が、
前記ハウジングの前記第１の部分と機能的に結合され、複数の磁石部材を有し、前記制御装置組立体と機能的に結合されたステーター組立体と、
前記ハウジングの前記第１の部分内に位置し、前記軸部材と機能的に結合されたローター組立体と、
をさらに備えていることを特徴とする請求項１に記載のシステム。
【請求項３】
前記ローター組立体が少なくとも一つのフライホイール組立体をさらに備え、
前記フライホイール組立体は、前記軸部材と機能的に結合され、周側壁に沿って一直線上に分散配置された複数の磁石組立体を備えている少なくとも一つの磁気駆動輪組立体を有することを特徴とする請求項２に記載のシステム。
【請求項４】
前記少なくとも一つの磁気駆動輪が前記周側壁から内側へ向かって半径方向に延伸している複数のボアをさらに備え、
前記ボアの各々が前記複数の磁石組立体のうちの関連する一つを受容するためのものであることを特徴とする請求項３に記載のシステム。
【請求項５】
前記磁気駆動輪の第１の側面を通じて関連する前記複数のボアのうちの一つの内部へ向かって延伸している複数の開口部をさらに備え、該開口部は、固定するための固定部材、及び関連する前記磁石組立体のうちの一つを前記複数のボアのうちの関連する一つの内部へ選択的に受容するためものであることを特徴とする請求項４に記載のシステム。
【請求項６】
前記少なくとも一つの磁気駆動輪が、
前記磁気駆動輪の第１の側面から前記磁気駆動輪の第２の側面へ延伸している複数の空洞部をさらに備え、該空洞部が、前記フライホイールについての軽量化を提供することを特徴とする請求項３に記載のシステム。
【請求項７】
前記複数の空洞部が、前記少なくとも一つの磁気駆動輪の回転バランスを維持するために、前記少なくとも一つの磁気駆動輪に関して対称的に配置されていることを特徴とする請求項６に記載のシステム。
【請求項８】
前記複数の空洞部が４つの空洞部を備えていることを特徴とする請求項７に記載のシステム。
【請求項９】
前記少なくとも一つの磁気駆動輪が、前記少なくとも一つの磁気駆動輪の重量を最小化するために、高分子材料を備えていることを特徴とする請求項３に記載のシステム。
【請求項１０】
前記複数の磁石組立体の各々が、
略円筒形状を有する希土類磁石と、
前記希土類磁石と機能的に結合された底部キャップ部材と、
前記底部キャップ部材から上方へ延伸し、実質的に前記希土類磁石の外周を覆う周壁と、
をさらに備えていることを特徴とする請求項３に記載のシステム。
【請求項１１】
前記周壁が、上端から下方へ延伸しているノッチ部を有していることを特徴とする請求項１０に記載のシステム。
【請求項１２】
前記周壁と機能的に結合された頂部キャップ部材をさらに備え、該頂部キャップ部材は、前記希土類磁石の頂部部分と接触していることを特徴とする請求項１０に記載のシステム。
【請求項１３】
前記頂部キャップ部材が弓状部とされていることを特徴とする請求項１２に記載のシステム。
【請求項１４】
前記弓状部である頂部キャップ部材の外縁が、４５°から１８０°に亘って延在していることを特徴とする請求項１３に記載のシステム。
【請求項１５】
前記弓状部である頂部キャップ部材の外縁が、８０°に亘って延在していることを特徴とする請求項１３に記載のシステム。
【請求項１６】
前記複数の磁石組立体の各々が、
略円筒形状を有する希土類磁石と、
前記希土類磁石と機能的に結合された底部キャップ部材と、
前記底部キャップ部材から上方へ延伸し、実質的に前記希土類磁石の外周を覆う周壁であって、上端から下方へ延伸しているノッチ部を有する周壁と、
前記周壁と機能的に結合され、前記希土類磁石の頂部と接触し、弓状部とされた頂部キャップ部材であって、且つ、前記弓状部の外縁が８０°に亘って延在しているキャップ部材と、
をさらに備え、
前記底部キャップ部材と、前記周壁と、前記頂部キャップ部材とが、磁束線を案内するための鋼を備えていることを特徴とする請求項３に記載のシステム。
【請求項１７】
一組の磁気駆動輪であって、前記一組の磁気駆動輪の各々が、
前記周側壁から内側に向かって半径方向に延伸している複数のボアであって、前記ボアの各々が、前記複数の磁石組立体のうちの関連する一つを受容するためのものである前記複数のボアと、
固定するための固定部材及び前記磁石組立体の中の一つを前記複数のボアの中の前記関連する一つの内部へ選択的に受容するために、前記磁気駆動輪の第１の側面を通じて関連する前記ボアのうちの一つの内部へ向かって延伸している複数の開口部と、
前記磁気駆動輪の第１の側面から前記磁気駆動輪の第２の側面へ延伸し、前記フライホイールについての軽量化を提供して、前記少なくとも一つの磁気駆動輪の回転バランスを維持するために前記少なくとも一つの磁気駆動輪に関して対称に配置される複数の空洞部と、
をさらに備えており、
前記少なくとも一つの磁気駆動輪の重量を最小化するために高分子材料を備えていることを特徴とする前記磁気駆動輪をさらに備えていることを特徴とする請求項３に記載のシステム。
【請求項１８】
前記ステーター組立体が、
略馬蹄形状をなし、各端部に位置する補償極を備えている複数の希土類磁石と、
複数のコイル部材であって、該複数のコイル部材の各々が、前記複数の略馬蹄形状の希土類磁石の中の関連する一つによって覆われており、前記制御装置組立体と機能的に結合される前記複数のコイル部材と、
をさらに備えていることを特徴とする請求項３に記載のシステム。
【請求項１９】
効率を改善するための電流制御フィードバックループを備えた電動発電機システムが、
内部空間を形成し、第１の部分と第２の部分とを有するハウジングと、
前記ハウジングの前記第１の部分内に位置し、電動機部分が軸部材と機能的に結合され、前記軸部材を選択的に回転させる電動機組立体と、
前記軸部材と機能的に結合され、機械的回転を電気エネルギに変換し、前記ハウジングの前記第２の部分内に位置し、且つ、電流を供給するための電流出力を有する発電機組立体と、
前記発電機組立体と前記電動機組立体との間に機能的に結合され、前記電動機組立体によって前記軸部材に生じる回転速度を制御するために前記電動機組立体へ制御電流を提供する制御装置組立体と、
を備えており、
前記電動機組立体が、一組の磁気駆動輪を有し、
前記一組の磁気駆動輪の各々が
前記周側壁から内側に向かって半径方向に延伸している複数のボアであって、前記ボアの各々が、前記複数の磁石組立体の中の関連する一つを受容するためのものである前記複数のボア、
固定するための固定部材及び前記磁石組立体のうちの関連する一つを前記複数のボアのうちの関連する一つの内側へ受容するために、前記磁気駆動輪の第1の側面を通じて前記ボアのうちの関連する一つの内側へ延伸している複数の開口部、
前記磁気駆動輪の第１の側面から前記磁気駆動輪の第２の側面を通じて延伸し、前記フライホイールについての軽量化を提供して、前記少なくとも一つの磁気駆動輪の回転バランスを維持するために前記少なくとも一つの磁気駆動輪に関して対称に位置する複数の空洞部、
をさらに備えており、
前記少なくとも一つの磁気駆動輪の重量を最小化するために高分子材料からなることを特徴とする前記一組の磁気駆動輪と、
前記複数の磁石組立体の各々が、
略円筒形状を有する希土類磁石、
前記希土類磁石と機能的に結合された底部キャップ部材、
前記底部キャップ部材から上方へ延伸して、実質的に前記希土類磁石を覆う周壁であって、上端から下方へ延伸しているノッチ部を有する周壁、
前記周壁と機能的に結合され、前記希土類磁石の上部と接触し、弓状部とされている上部キャップ要素、
をさらに備えており、
前記弓状部とされている頂部キャップ部材の外縁が８０°に亘り延在し、前記底部キャップ部材、前記周壁、磁束線を案内するために鋼からなることを特徴とする前記磁石組立体と、
略馬蹄形状をなし、各端部に補償極を備えている複数の希土類磁石、
複数のコイル部材の各々が前記複数の略馬蹄形状の希土類磁石のうちの関連する一つによって覆われており、前記制御装置組立体と機能的に結合された前記複数のコイル部材、
をさらに備えている前記ステーター組立体と、
を備えていることを特徴とする前記電動発電機システム。
【請求項２０】
前記一組の磁気駆動輪の第１駆動輪が、前記一組の磁気駆動輪の第２駆動輪からオフセットされていることによって、前記一組の磁気駆動輪の前記第１駆動輪における磁石組立体が、前記一組の前記磁気駆動輪の前記第２駆動輪における前記磁石組立体と一直線上に配置されていないことを特徴とする請求項１９に記載のシステム。
【請求項２１】
前記ステーター組立体の前記略馬蹄形状の希土類磁石における前記第１端部と一直線上に配置された前記一組の磁気駆動輪の前記第１駆動輪における前記磁石組立体であって、前記磁石組立体の各々が第１磁極を有している前記磁石組立体と、
前記ステーター組立体の前記略馬蹄形状の希土類磁石における前記第２端部と一直線上に配置された前記一組の磁気駆動輪の前記第２駆動輪における前記磁石組立体であって、前記一組の磁気駆動輪の前記第２駆動輪における前記磁石組立体の各々が第２磁極を有している前記磁石組立体と、
をさらに備えており、
前記ステーター組立体の前記略馬蹄形状の希土類磁石における第１端部が、同一の第１磁極を有することにより、前記一組の磁気駆動輪の前記第１駆動輪における前記磁石組立体の各々と反発し、前記ステーター組立体の前記略馬蹄形状の希土類磁石における第２端部が、同一の第２磁極を有することにより、前記一組の磁気駆動輪の中の第２駆動輪における前記磁石組立体の各々と反発することを特徴とする請求項２０に記載のシステム。
【請求項２２】
前記軸部材の第１端部を回転可能なように受容するために、前記ハウジングにおける前記第１の部分の第１端部に位置する第１支持板と、
前記軸部材の第２端部を回転可能なように受容するために、前記ハウジングにおける前記第２の部分の第１端部に位置する第２支持板と、
をさらに備えており、
前記第１支持板及び前記第２支持板が、前記軸部材の重量を回転可能なように支持することを特徴とする請求項１９に記載のシステム。
【請求項２３】
回転可能なように前記軸部材の中央部を支持するために、前記電動機組立体と前記発電機組立体との間に位置する第３支持板要素をさらに備えていることを特徴とする請求項２２に記載のシステム。
【請求項２４】
前記システムを使用している間、前記ハウジングを支持するためのスタンド組立体をさらに備えていることを特徴とする請求項１９に記載のシステム。
【請求項２５】
前記スタント組立体が、
第１水平面を有するベース部材と、
前記ベース部材から上方に延伸している垂直支持部及び前記ハウジングの外面部と接触するための係合部を有する第１受け台部材と、
前記ベース部材から上方に延伸している第２垂直支持部及び前記ハウジングの第２外面部と接触するための第２係合部を有する第２受け台部材と、
をさらに備えていることを特徴とする請求項２４に記載のシステム。
【請求項２６】
前記第１受け台部材と前記第２受け台部材との間を延伸している垂直支柱をさらに備えていることを特徴とする請求項２５に記載のシステム。
【請求項２７】
前記システムの移動を容易にするために、前記スタンド組立体と機能的に結合された複数の車輪をさらに備えていることを特徴とする請求項２４に記載のシステム。
【請求項２８】
略輪状の本体と、
前記本体の外周から前記本体内部に向かって放射状に延伸している複数のボアと、
複数の磁石対のそれぞれが個々の前記ボアに載置されている前記複数の磁石組立体と、
前記本体の第１の平側面から前記本体の第２の平側面に向かって延伸し、磁気駆動輪の重量を低減させる複数の空洞部と、
を備えていることを特徴とする磁気駆動輪。
【請求項２９】
前記複数の空洞部が、前記磁気駆動輪の回転バランスを維持するように、前記磁気駆動輪の軸を中心に対称に位置決めされていることを特徴とする請求項２８に記載の磁気駆動輪。
【請求項３０】
前記本体は、高分子材料を備えていることを特徴とする請求項２８又は２９に記載の磁気駆動輪。
【請求項３１】
複数の開口部のそれぞれが、前記磁気駆動輪の前記第１の平側面を通じて前記ボアのうち関連する一のボア内部に向かって延伸している前記複数の開口部と、
複数の固定要素のそれぞれが、関連するボア内部に磁気駆動輪のうち関連する一の磁気駆動輪を固定するために、開口部のうち関連する一の開口部に挿入されている前記複数の固定要素と、
をさらに備えていることを特徴とする請求項２８〜３０のいずれか一項に記載の磁気駆動輪。
【請求項３２】
前記磁石組立体の各々が、
略円筒形状とされる希土類磁石と、
前記希土類磁石と機能的に結合された底部キャップ部材と、
前記底部キャップ部材から上方へ延伸し、実質的に前記希土類磁石の外周を覆っている周壁と、
を備えていることを特徴とする請求項２８〜３１のいずれか一項に記載の磁気駆動輪。
【請求項３３】
各前記周壁が、
頂部と、
前記頂部から下方に延伸しているノッチ部と、
を備えていることを特徴とする請求項３２に記載の磁気駆動輪。
【請求項３４】
各磁石組立体は、前記磁石組立体の前記希土類磁石の頂部に当接し、前記周側壁と機能的に結合された頂部キャップ部材をさらに備えていることを特徴とする請求項３３に記載の磁気駆動輪。
【請求項３５】
前記頂部キャップ部材が弓状部とされることを特徴とする請求項３４に記載の軸駆動輪。
【請求項３６】
前記頂部キャップ部材が、４５°〜１８０°に亘って延在している外縁を有していることを特徴とする請求項３５に記載の磁気駆動輪。
【請求項３７】
前記頂部キャップ部材は、約８０°に亘って延在している外縁を有していることを特徴とする請求項３５に記載の磁気駆動輪。
【請求項３８】
各前記底部キャップ部材、各前記周壁、及び各前記頂部キャップ部材が、磁束線を案内するための鋼を備えていることを特徴とする請求項３４〜３７のいずれか一項に記載の磁気駆動輪。
【請求項３９】
略円筒形状とされる希土類磁石と、
前記希土類磁石に当接している底部キャップ部材と、
前記底部キャップ部材から上方へ延伸し、実質的に前記希土類磁石の外周を覆っている周壁と、
を備えていることを特徴とする磁石組立体。
【請求項４０】
前記周壁は、
上端と、
前記希土類磁石の外周の一部が露出されるように、前記上端から下方に延伸しているノッチ部と、
を備えていることを特徴とする請求項３９に記載の磁石組立体。
【請求項４１】
前記希土類磁石の頂部部分に当接され、前記周側壁と機能的に結合されている頂部キャップ部材をさらに備えていることを特徴とする請求項４０に記載の磁石組立体。
【請求項４２】
前記頂部キャップ部材が、弓状部とされることを特徴とする請求項４１に記載の磁石組立体。
【請求項４３】
前記頂部キャップ部材が、４５°〜１８０°に亘って延在している外縁を有していることを特徴とする請求項４２に記載の磁石組立体。
【請求項４４】
前記頂部キャップ部材が、約８０°に亘って延在している外縁を有していることを特徴とする請求項４２に記載の磁石組立体。
【請求項４５】
前記底部キャップ部材及び前記周壁は、磁束線を案内するための鋼を備えていることを特徴とする請求項３９又は４０に記載の磁石組立体。
【請求項４６】
前記底部キャップ部材、前記周壁、及び前記頂部キャップ部材が、磁束線を案内するための鋼を備えていることを特徴とする請求項４１〜４４のいずれか一項に記載の磁石組立体。